(57)【特許請求の範囲】
【請求項１】
情報と照合用の複数の細線とが書き込まれている一枚の被読取媒体から取り込まれた前記情報が複数の部分に分割された部分イメージを、一枚の前記情報の全体イメージに合成するイメージ合成装置が、第１イメージ取り込み部と、第２イメージ取り込み部と、第１イメージ合成処理部と、第２イメージ合成処理部と、イメージ一致判断部とを備えていて、
前記第１イメージ取り込み部は、前記被読取媒体の複数の部分分割領域から、前記細線を含む部分イメージを、第１部分イメージとして、それぞれ取り込み、
前記第２イメージ取り込み部は、前記部分分割領域から、前記細線以外の前記情報の部分イメージを、第２部分イメージとして、それぞれ取り込み、
前記第１イメージ合成処理部は、複数の前記第１部分イメージのそれぞれに含まれる前記細線を含むイメージを利用して、個々の前記第１部分イメージに対して、回転、倍率変化及び平行移動の処理を施すことで、第１全体イメージの合成処理を行い、
前記第２イメージ合成処理部は、前記第１イメージ合成処理部と実質的に同じ合成処理の手法に従って、前記第２部分イメージから、第２全体イメージの合成処理を行い、
前記イメージ一致判断部は、前記第１全体イメージの合成処理に用いた細線以外の細線同士のズレの大きさを基準にして当該第１全体イメージが一致しているかどうかの判断を行うとともに、
前記第１イメージ取り込み部と前記第２イメージ取り込み部とで、取り込むイメージの対象以外は同じ状態を保つように構成することを特徴とするイメージ合成装置。
【請求項２】
請求項１に記載のイメージ合成装置において、
前記細線は、非可視性材料で書き込まれたものであることを特徴とするイメージ合成装置。
【請求項３】
請求項１又は２に記載のイメージ合成装置において、
前記第１部分イメージは、前記被読取媒体の複数の前記部分分割領域から取り込まれた前記細線の部分イメージのみを含むことを特徴とするイメージ合成装置。
【請求項４】
請求項１又は２に記載のイメージ合成装置において、
前記第１イメージ取り込み部は、前記細線及び前記情報の構成材料が吸収する第１波長の光を放射する光源と、該第１波長の光を感知する受光部とを具え、
前記第２イメージ取り込み部は、前記情報の構成材料が吸収する第２波長の光を放射する光源と、該第２波長の光を感知する受光部とを具えたことを特徴とするイメージ合成装置。
【請求項５】
請求項１〜３のいずれか１項に記載のイメージ合成装置において、
前記第１イメージ取り込み部は、前記細線の構成材料が吸収する第１波長の光を放射する光源と、該第１波長の光を感知する受光部とを具え、
前記第２イメージ取り込み部は、前記情報の構成材料が吸収する第２波長の光を放射する光源と、該第２波長の光を感知する受光部とを具えたことを特徴とするイメージ合成装置。
【請求項６】
請求項１〜３のいずれか１項に記載のイメージ合成装置において、
前記第１イメージ取り込み部は、少なくとも前記細線の構成材料が吸収する第１波長の光を放射する光源と、前記細線の構成材料が該第１波長の光を吸収したときに放射する第２波長の光を感知する受光部とを具え、
前記第２イメージ取り込み部は、前記情報の構成材料が吸収する第３波長を放射する光源と、該第３波長の光を感知する受光部とを具えたことを特徴とするイメージ合成装置。
【請求項７】
情報と照合用の複数の細線とが書き込まれている一枚の被読取媒体から取り込まれた前記情報が複数の部分に分割された部分イメージを、一枚の前記情報の全体イメージに合成するイメージ合成装置が、第１イメージ取り込み部と、第１イメージ合成処理部と、ドロップアウト処理部と、イメージ一致判断部とを備えていて、
第１イメージ取り込み部は、前記被読取媒体の複数の部分分割領域から、前記細線を含む部分イメージ、及び前記情報の部分イメージを、第１部分イメージとして、それぞれ取り込み、
第１イメージ合成処理部は、複数の前記第１部分イメージのそれぞれに含まれる前記細線を含むイメージを利用して、個々の前記第１部分イメージに対して、回転、倍率変化及び平行移動の処理を施すことで、第１全体イメージの合成処理を行い、
ドロップアウト処理部は、前記第１全体イメージから、前記細線を含む部分イメージのみをドロップアウトさせて、残存する前記情報の部分イメージを第２全体イメージとし、
前記イメージ一致判断部は、前記第１全体イメージの合成処理に用いた細線以外の細線同士のズレの大きさを基準にして当該第１全体イメージが一致しているかどうかの判断を行うことを特徴とするイメージ合成装置。
【請求項８】
請求項７に記載のイメージ合成装置において、
前記細線は、非可視性材料で書き込まれたものであることを特徴とするイメージ合成装置。
【請求項９】
請求項７又は８に記載のイメージ合成装置において、
前記第１イメージ取り込み部は、前記細線及び情報の構成材料が吸収する波長の光を放射する光源と、前記波長の光を感知する受光部とを具えたことを特徴とするイメージ合成装置。
【請求項１０】
請求項１〜９のいずれか１項に記載のイメージ合成装置において、
前記第１イメージ合成処理部は、
それぞれの前記第１部分イメージのうち、横方向又は縦方向の任意の前記細線を含む部分イメージがＸ軸又はＹ軸と平行になるように、前記第１部分イメージを回転させる第１回転処理部と、
それぞれの前記第１部分イメージについて、前記細線を含む部分イメージの対応する細線の判断を行い、該細線間の距離が一致するように、前記第１部分イメージの倍率を変化させる第１倍率変化処理部と、
対応する前記細線を含む部分イメージが正しい位置で重ね合うように、前記第１部分イメージを平行移動させる第１平行移動処理部と
を含むことを特徴とするイメージ合成装置。
【請求項１１】
請求項１０に記載のイメージ合成装置において、
前記対応する細線の判断は、前記細線を含む部分イメージに含まれる縦又は横方向の細線の本数により、位置関係を認知して判断することを特徴とするイメージ合成装置。
【請求項１２】
請求項１０に記載のイメージ合成装置において、
前記被読取媒体にそれぞれ太さの異なる照合用の前記細線が書き込まれている場合に、
前記対応する細線の判断は、前記細線を含む部分イメージに含まれる該細線の太さにより判断することを特徴とするイメージ合成装置。
【請求項１３】
請求項１０に記載のイメージ合成装置において、
前記被読取媒体にそれぞれ間隔の異なる照合用の前記細線が書き込まれている場合に、
前記対応する細線の判断は、前記細線を含む部分イメージに含まれる該細線間の距離により判断することを特徴とするイメージ合成装置。
【請求項１４】
請求項１〜１３のいずれか１項に記載のイメージ合成装置において、
さらに、合成されたイメージの文字認識を行う文字認識処理部を具えたことを特徴とするイメージ合成装置。
【請求項１５】
請求項１〜１３のいずれか１項に記載のイメージ合成装置において、
前記イメージ一致判断部により、前記第１全体イメージが一致していないと判断された場合に、前記第１イメージ合成処理部は、
前記第１全体イメージの合成処理に用いた細線以外の細線を用いて、再び第１全体イメージの合成処理を行うことを特徴とするイメージ合成装置。
【発明の詳細な説明】
【０００１】
【発明の属する技術分野】
この発明は、一枚の被読取媒体の情報が複数の部分に分割された情報の部分イメージを収集して、一枚の全体イメージに合成する装置に関する。
【０００２】
【従来の技術】
従来、被読取媒体の情報をスキャナ等の読み取り装置で読み取ったイメージは様々な目的、例えばイメージのコンピューター上での処理等に使用されている。また、近年技術進歩が著しい光学式文字読み取り装置（以下ＯＣＲ(Optical Character Reader)装置と呼ぶ）への入力手段としても用いられている。このＯＣＲ装置は、特に金融業においては、各種データの入力作業（データエントリ）のシステム化による省力化、効率化が急務となっているため、技術開発が盛んに行われている。
【０００３】
この読み取り装置には、被読取媒体が読み取り装置の光源及び受光素子と接触するかしないかによって、接触型のものと非接触型のものとに分かれる。接触型としては、例えば通常のスキャナがあり、ＯＡ機器として広く用いられている。また、非接触型としては、例えばＣＣＤを内蔵したデジタルカメラで撮影するものがある。金融業において帳票の情報を読み取る場合、帳票は厚さが大きく、かさばることが多いため、非接触型のものが便利である。
【０００４】
しかしながら、スキャナにおいては、イメージを取り込むことができる被読取媒体の大きさが決まっており、従って、それ以上の大きさの被読取媒体に対しては、複数回に分けて情報のイメージを取り込まなくてはならない。このとき、一回で取り込んだイメージは被読取媒体の部分情報イメージである。しかし、上述のように、例えばＯＣＲ装置で文字認識させるためには、全体のイメージとして入力される必要がある。従って、この取り込まれた複数の部分情報イメージを一枚の全体のイメージに合成する必要がある。
【０００５】
【発明が解決しようとする課題】
しかしながら、従来、複数の部分情報イメージを一枚の全体のイメージに合成するのを、ソフト上で自動的に行え、かつ全体イメージを、例えばＯＣＲ装置等にそのまま使用できるようなイメージ合成装置はなかった。つまり、単に部分イメージを重ね合わせたものであったため、部分イメージのつなぎ目がわかるものであったり、また、ＯＣＲ装置での文字認識能力が低かった。ＯＣＲ装置に使用する時には、イメージのつなぎ目が少しでもずれると別の文字に認識されたりして、認識率が下がる。従って、金融機関などのシステムにおいては、信頼性に問題があり、ＯＣＲ装置に使用できなかった。
【０００６】
この発明は、このような点に鑑みなされたものであり、従って、この発明の目的は、ＯＣＲ装置で高い認識率で認識されうるような精度の高い合成イメージを、ソフト上で自動的に作製することができるイメージ合成装置及びイメージ合成装置に使用する被読取媒体を提供することにある。
【０００７】
【課題を解決するための手段】
この目的を達成するため、この発明の第１のイメージ合成装置によれば、情報と照合用の複数の細線とが書き込まれている一枚の被読取媒体から取り込まれた前記情報が複数の部分に分割された部分イメージを、一枚の前記情報の全体イメージに合成するイメージ合成装置が、第１イメージ取り込み部と、第２イメージ取り込み部と、第１イメージ合成処理部と、第２イメージ合成処理部と、イメージ一致判断部とを備えていて、前記第１イメージ取り込み部は、前記被読取媒体の複数の部分分割領域から、前記細線を含む部分イメージを、第１部分イメージとして、それぞれ取り込み、前記第２イメージ取り込み部は、前記部分分割領域から、前記細線以外の前記情報の部分イメージを、第２部分イメージとして、それぞれ取り込み、前記第１イメージ合成処理部は、複数の前記第１部分イメージのそれぞれに含まれる前記細線を含むイメージを利用して、個々の前記第１部分イメージに対して、回転、倍率変化及び平行移動の処理を施すことで、第１全体イメージの合成処理を行い、前記第２イメージ合成処理部は、前記第１イメージ合成処理部と実質的に同じ合成処理の手法に従って、前記第２部分イメージから、第２全体イメージの合成処理を行い、前記イメージ一致判断部は、前記第１全体イメージの合成処理に用いた細線以外の細線同士のズレの大きさを基準にして当該第１全体イメージが一致しているかどうかの判断を行うとともに、
第１イメージ取り込み部と第２イメージ取り込み部とで、取り込むイメージの対象以外は同じ状態を保つように構成することを特徴とする。
【０００８】
ここで、情報とは、何らかの目的、例えばＯＣＲ認識などに使用するための必要な画像（文字・数字・記号・図形等も含む）のことである。これに対し、細線はこの発明のイメージ合成処理のみに必要なダミー情報なので、ここでいう情報とは異なるものである。複数の部分分割領域とは、一枚の被読取媒体を全く重なることなく分割した領域のことではなく、それぞれの部分分割領域の境界線近くは、被読取媒体の同じ部分を一部重複して含んでいる状態であることを意味する。この発明においては重複した領域をもとにして合成するため、部分イメージ同士が同じ領域のイメージを一部重複して含んでいないとイメージ合成できないからである。また、少なくとも前記細線を含む部分イメージとは、細線のみのイメージの場合と、細線及び情報のイメ−ジの場合がある。また、細線の部分イメージのことを、以下この明細書中では部分細線イメージと略称し、同様に、情報の部分イメージのことを、部分情報イメージと略称する。
【０００９】
このような構成であると、一度ではイメージを取り込めない大きな被読取媒体に対しても、あたかも一枚の被読取媒体のイメージを一度で取り込んだのと同等の第２全体イメージを、ソフト上で自動的に形成することができる。また、形成された第２全体イメージには細線イメージは含まれていなく、目的である情報のみのイメージになる。
また、この構成により、一致していると判断する判断基準に達するまで、何度もイメージ合成処理を繰り返すので、精度の良い第１全体イメージが形成できる。
【００１０】
また、この発明の実施に当たり、好ましくは、前記細線は、非可視性材料で書き込まれた細線とするのが良い。
【００１１】
ここで、非可視性材料とは、可視光線を吸収しないが、紫外光又は赤外光を吸収する材料のことを意味する。細線が非可視性材料で書き込まれていると、被読取媒体上の細線は人間の目には認識されないため、美観を損ねることがない。しかしながら、イメージ合成装置上では認識されるため、イメージ合成のための基準となりうる。
【００１２】
また、この発明の実施に当たり、好ましくは、前記第１部分イメージは、前記被読取媒体の複数の前記部分分割領域から、前記細線の部分イメージのみを含むと良い。
【００１３】
このような構成であると、第１イメージ合成処理部により合成処理を行うときに、部分情報イメージが含まれていなく、部分細線イメージのみを含んでいるので、合成処理を行いやすい。
【００１４】
また、この発明の第１のイメージ合成装置における第１及び第２イメージ取り込み部は、次のような構成であると良い。
（ａ）前記第１イメージ取り込み部は、前記細線及び前記情報の構成材料が吸収する第１波長の光を放射する光源と、該第１波長の光を感知する受光部とを具え、前記第２イメージ取り込み部は、前記情報の構成材料が吸収する第２波長を放射する光源と、該第２波長の光を感知する受光部とを具えている。
（ｂ）前記第１イメージ取り込み部は、前記細線の構成材料が吸収する第１波長の光を放射する光源と、該第１波長の光を感知する受光部とを具え、前記第２イメージ取り込み部は、前記情報の構成材料が吸収する第２波長を放射する光源と、該第２波長の光を感知する受光部とを具えている。
（ｃ）前記第１イメージ取り込み部は、少なくとも前記細線の構成材料が吸収する第１波長の光を放射する光源と、前記細線の構成材料が該第１波長の光を吸収したときに放射する第２波長の光を感知する受光部とを具え、前記第２イメージ取り込み部は、前記情報の構成材料が吸収する第３波長を放射する光源と、該第３波長の光を感知する受光部とを具えている。ここで、少なくとも細線の構成材料が吸収するというのは、細線以外に情報の構成材料が吸収しても良いという意味である。
【００１５】
（ａ）の構成を具えることにより、部分細線イメージと部分情報イメージが第１部分イメージとして、及び部分情報イメージが第２部分イメージとして得られ、また、（ｂ）及び（ｃ）の構成を具えることにより、部分細線イメージが第１部分イメージとして、及び部分情報イメージが第２部分イメージとして得られる。
【００１６】
また、この発明の第２のイメージ合成装置によれば、情報と照合用の複数の細線とが書き込まれている一枚の被読取媒体から取り込まれた前記情報が複数の部分に分割された部分イメージを、一枚の前記情報の全体イメージに合成するイメージ合成装置が、第１イメージ取り込み部と、第１イメージ合成処理部と、ドロップアウト処理部と、イメージ一致判断部とを備えていて、第１イメージ取り込み部は、前記被読取媒体の複数の部分分割領域から、前記細線を含む部分イメージ、及び前記情報の部分イメージを、第１部分イメージとして、それぞれ取り込み、第１イメージ合成処理部は、複数の前記第１部分イメージのそれぞれに含まれる前記細線を含むイメージを利用して、個々の前記第１部分イメージに対して、回転、倍率変化及び平行移動の処理を施すことで、第１全体イメージの合成処理を行い、ドロップアウト処理部は、前記第１全体イメージから、前記細線を含む部分イメージのみをドロップアウトさせて、残存する前記情報の部分イメージを第２全体イメージとし、前記イメージ一致判断部は、前記第１全体イメージの合成処理に用いた細線以外の細線同士のズレの大きさを基準にして当該第１全体イメージが一致しているかどうかの判断を行うことを特徴とする。
【００１７】
ここでドロップアウトするとは、機械のメモリ上からデータを消去することを意味する。
【００１８】
このような構成であると、一度ではイメージを取り込めない大きな被読取媒体に対しても、あたかも一枚の被読取媒体のイメージを一度で取り込んだのと同等の第２全体イメージを、ソフト上で自動的に形成することができる。また、第１全体イメージから細線のイメージのみをドロップアウトするため、形成された第２全体イメージは細線イメージは消えて、目的である情報のみのイメージになる。
【００１９】
また、この発明の実施に当たり、好ましくは、前記細線は、非可視性材料で書き込まれた細線とするのが良い。
【００２０】
細線が非可視性材料で書き込まれていると、被読取媒体上の細線は人間の目には認識されないため、美観を損ねることがない。しかしながら、イメージ合成装置上では認識されるため、イメージ合成のための基準となりうる。
【００２１】
また、この発明の第２のイメージ合成装置におけるイメージ取り込み装置は、次のような構成であると良い。
（ｄ）前記細線及び情報の構成材料が吸収する波長の光を放射する光源と、前記波長の光を感知する受光部とを具えている。
【００２２】
このような構成を具えることにより、部分細線イメージと部分情報イメージが第１部分イメージとして得られる。
【００２３】
また、この発明の第１及び第２のイメージ合成装置における第１イメージ合成処理部は次の構成を含んでいると良い。
（ａ）それぞれの前記第１部分イメージのうち、横方向又は縦方向の任意の前記細線を含む部分イメージがX軸又はY軸と平行になるように、前記第１部分イメージを回転させる第１回転処理部。
（ｂ）それぞれの前記第１部分イメージについて、前記細線を含む部分イメージの対応する細線の判断を行い、該細線間の距離が一致するように、前記第１部分イメージの倍率を変化させる第１倍率変化処理部。
（ｃ）対応する前記細線を含む部分イメージが正しい位置で重ね合うように、前記第１部分イメージを平行移動させる第１平行移動処理部。
【００２４】
また、（ｂ）において、前記対応する細線の判断は、被読取媒体への細線の書き込み方によって、次のような方法によって行うと良い。
（１）前記細線を含む部分イメージに含まれる縦又は横方向の細線の本数により、位置関係を認知して判断する。
（２）前記被読取媒体にそれぞれ太さの異なる照合用の前記細線が書き込まれている場合に、前記細線を含む部分イメージに含まれる細線の太さにより判断する。
（３）前記被読取媒体にそれぞれ間隔の異なる照合用の前記細線が書き込まれている場合に、前記細線を含む部分イメージに含まれる細線間の距離により判断する。
【００２５】
（１）は、細線が格子状に書き込まれている被読取媒体に対して有効であり、（２）は、細線の太さを変化させて書き込まれた被読取媒体に対して有効であり、（３）は、細線間の距離を変化させて書き込まれた被読取媒体に対して有効である。
【００２８】
また、この発明の第１及び第２のイメージ合成装置の実施に当たり、さらに、合成されたイメージの文字認識を行う文字認識処理部を具えていても良い。
【００２９】
この構成により、合成された第２全体イメージの文字認識まで行える一体化された装置になる。
【００３０】
また、この発明の第１及び第２のイメージ合成装置の実施に当たり、さらに、前記イメージ一致判断部により、前記第１全体イメージが一致していないと判断された場合に、前記第１イメージ合成処理部は、前記第１全体イメージの合成処理に用いた細線以外の細線を用いて、再び第１全体イメージの合成処理を行うことが好ましい。
【００３５】
【発明の実施の形態】
以下、この発明の実施の形態について、図面を用いて説明する。なお、図中、各構成成分の大きさ、形状および配置関係は、この発明が理解できる程度に概略的に示してあるにすぎず、また、以下に説明する数値的条件は単なる例示にすぎない。
【００３６】
この実施の形態では、イメージ合成装置、イメージ合成装置を用いたイメージ合成方法、及びイメージ合成装置に使用する被読取媒体について、具体的に説明する。
【００３７】
この発明のイメージ合成装置としては、第１のイメージ合成装置及び第２のイメージ合成装置があり、それぞれの装置の実施の形態について説明する。図１は第１のイメージ合成装置の実施の形態の構成を示すブロック図であり、及び図２は第２のイメージ合成装置の実施の形態の構成を示すブロック図である。
【００３８】
第１のイメージ合成装置は、第１及び第２イメージ取り込み装置10及び12、第１及び第２イメージ合成処理装置14及び16を具え、さらには、イメージ一致判断部18、第１及び第２部分イメージの記憶部20及び22、第１及び第２全体イメージの記憶部24及び26、合成処理の記憶部27を具えている。第１イメージ合成処理装置14は、第１回転処理部28、第１倍率変化処理部32及び第１平行移動処理部36を具えている。第２イメージ合成処理装置16は、第２回転処理部30、第２倍率変化処理部34及び第２平行移動処理部38を具えている。
【００３９】
第２のイメージ合成装置は、第１イメージ取り込み装置40、第１イメージ合成処理装置42及びドロップアウト処理装置44を具え、さらには、イメージ一致判断部46、第１部分イメージの記憶部48、第２全体イメージの記憶部50を具えている。第１イメージ合成処理装置42は、第１回転処理部52、第１倍率変化処理部54及び第１平行移動処理部56を具えている。
【００４０】
このうち、第１のイメージ合成装置において、マイクロコンピューターで動作させるものは、第１及び第２イメージ取り込み装置10及び12、第１及び第２イメージ合成処理装置14及び16（すなわち、第１及び第２回転処理部28及び30、第１及び第２倍率変化処理部32及び34、第１及び第２平行移動処理部36及び38）、イメージ一致判断部18である。
【００４１】
また、第２のイメージ合成装置において、マイクロコンピューターで動作させるものは、第１イメージ取り込み装置40、第１イメージ合成処理装置42（すなわち、第１回転処理部52、第１倍率変化処理部54、第１平行移動処理部56）、ドロップアウト処理装置44、イメージ一致判断部46である。
【００４２】
１．イメージ合成装置に使用する被読取媒体の実施の形態（説明１）
まず、この発明のイメージ合成装置に使用する被読取媒体の実施の形態について説明する。
【００４３】
この被読取媒体上には、細線が書き込まれている。この細線は、被読取媒体に情報が書き込まれる前に、あらかじめ書き込まれたものであることが望ましい。この実施の形態では、非可視性の材料を用いて書き込まれた細線について説明する。この実施の形態の細線は、非可視性の材料で書き込まれてあるので、細線は人間の目に感知されることはない。しかしながら、この発明のイメージ合成装置でイメージ合成を行うときには、細線のイメージをもとにイメージ合成を行うので、イメージ合成装置で細線が認識されるような非可視性の材料でなくてはならない。
【００４４】
本実施の形態の被読取媒体に使用される非可視性材料には２種類ある。一つ目の材料としては、紫外光を吸収し、かつ、吸収することによって蛍光又は燐光として可視光を放射するものである。具体的な吸収波長範囲及び発光波長は、情報の構成材料の吸収波長範囲との関係で制限される。すなわち、非可視性材料の発光波長範囲は情報の構成材料の吸収波長範囲と重ならないことが必要である。このような非可視性材料を用いた細線が書き込まれた被読取媒体を使用すると、後述のイメージ取り込み装置で部分イメージを取り込んだときに、部分細線イメージからなる第１部分イメージと、部分情報イメージからなる第２部分イメージとが得られる。なお、情報の構成材料としては、例えば黒鉛鉛筆、ボールペン、万年筆、印刷用のインク等があり、非可視性材料を選択するに当たっては、情報の構成材料の光特性を考慮して、組み合わせとして選択するのがよい。
【００４５】
また、二つ目の材料としては、紫外光又は赤外光を吸収するものである。具体的な吸収波長範囲は、情報の構成材料の吸収波長範囲との関係で２種類ある。すなわち、情報の部分は吸収せず非可視性材料のみ吸収する波長範囲があるか、又は非可視性材料のみ吸収する波長範囲がないかである。前者の非可視性材料を用いた細線が書き込まれた被読取媒体を使用すると、後述のイメージ取り込み装置で部分イメージを取り込んだときに、部分細線イメージからなる第１部分イメージと、部分情報イメージからなる第２部分イメージとが得られる。後者の非可視性材料を用いた細線が書き込まれた被読取媒体を使用すると、後述のイメージ取り込み装置で部分イメージを取り込んだときに、部分細線イメージと部分情報イメージからなる第１部分イメージと、部分情報イメージからなる第２部分イメージ（第２のイメージ合成装置においては第２部分イメージはない）とが得られる。
【００４６】
上述の２つの材料の条件に当てはまるものであればこの発明の非可視性材料として使用可能であり、特定の材料にとらわれるものではない。
【００４７】
また、被読取媒体としては、非可視性材料及び情報材料の吸収波長範囲の光を吸収しないような白色のものであれば材質にとらわれなく、例えば通常の紙を用いればよい。
【００４８】
その結果、細線は肉眼では感知されないが、被読取媒体の部分イメージをイメージ取り込み装置で取り込んだときに、細線を認識することができ、従って、細線をもとにして、全体イメージにイメージ合成をすることができる。
【００４９】
次に、細線の書き込み方法について、図面を参照して説明する。数本の直線群からなる細線が実際に被読取媒体上に書き込まれた様子を、図３（Ａ）に示す。図の58は細線を示し、60は被読取媒体62の輪郭を示す。実際には、この実施の形態の細線58は非可視性なので、この図のようには見えないが、概念的に細線58を示したものである。細線58が、被読取媒体62に対して、縦方向及び横方向に数本ずつ直線として書き込まれている。細線58は、太さ及び長さについては特に制限はないが、あまり太すぎると後述するイメージ合成装置において細線58の中心座標を決定しにくくなり、また、細すぎると細線58を認識できなくなる恐れがある。従って、適当な太さが好ましいが、この実施の形態では、例えば0.5mm程度の太さの直線としている。また、細線58は被読取媒体62上を突き抜けるような直線であることが望ましい。細線58が書き込まれていない部分は、イメージ合成することができないからである。また、一本の細線58においては、太さが均一で、かつ直線であることが望ましい。後述するイメージ合成装置において、細線58のイメージを合成するのにこの条件が必要だからである。
【００５０】
さらに、細線58は適度に小さな間隔で平行に並んだ２組の直線群であって、これらの直線群は互いに直交していることが望ましい。細線58が書き込まれた被読取媒体62を、部分イメージに分けて取り込むとき、おのおのの部分イメージ内の細線58を基準にして２次元的に全体イメージを合成するからである。この実施の形態では、細線58は格子状に書き込まれており、格子の間隔は縦方向及び横方向の細線58共に、例えば1cmとしている。尚、縦方向及び横方向の細線58の向きは、被読取媒体62が長方形だとすると、各々の辺に平行であるのが望ましい。後に書き込まれる情報は、被読取媒体62の一方の辺に対して平行方向に書き込まれることが多いので、イメージ合成装置上に合成された情報のイメージが斜め方向にならなくするためである。
【００５１】
また、細線58の書き込み方法の変形例を図４及び図５に示す。図４（Ａ）は縦方向及び横方向の細線64共に、それぞれ間隔の異なる直線で書き込まれた例である。また、図４（Ｂ）は縦方向及び横方向の細線66共に、それぞれ太さの異なる直線で書き込まれた例である。これらの変形例は、被読取媒体を細かい部分イメージに分けて取り込んだときにおいて、対応する細線を判断するのに、判断しやすくなるという効果がある。
【００５２】
また、被読取媒体を第２のイメージ合成装置に使用する際の細線の書き込み方法を、図５（Ａ）に示す。第２のイメージ合成装置は、詳しくは後述するが、被読取媒体68上に後に情報を記録する位置70が決まっているときにおいて使用することができ、従って、その位置には細線72を書き込まないようにしなければいけない。つまり、情報74と細線72とが重ならない構造になっている。このときには、第２のイメージ合成装置の第１イメージ取り込み装置40で、情報74と細線72との両方を含んでいる第１部分イメージを取り込む。その後、合成した第１全体イメージから細線72のみをドロップアウトすることができる。
【００５３】
また、被読取媒体へ細線を書き込む方法としては、任意の方法、例えば通常の印刷方法などを用いればよい。
【００５４】
この実施の形態においては、細線には非可視性材料を用いて書き込んだが、可視材料を用いても本発明に使用できる。しかしながら、実際の応用上、細線が人間の目に見えてしまうため、被読取媒体の美観を損ね、かつ、利用上不便でもある。
【００５５】
２．第１のイメージ合成装置におけるイメージ取り込み装置の実施の形態（説明２）
次に、この発明の第１のイメージ合成装置の一部であるイメージ取り込み装置の実施の形態について、図を参照して説明する。
【００５６】
このイメージ取り込み装置は、被読取媒体の複数の部分分割領域から、少なくとも細線の部分細線イメージを、第１部分イメージとして、それぞれ取り込む第１イメージ取り込み装置10と、この部分分割領域から、部分情報イメージを、第２部分イメージとして、それぞれ取り込む第２イメージ取り込み装置12とを具えている。
【００５７】
ここで、第１部分イメージと第２部分イメージとは、同じ部分分割領域からイメージを取り込むので、第１イメージ取り込み装置10と第２イメージ取り込み装置12とは、取り込むイメージの対象（細線又は情報）以外は同じ状態を保ったままでなくてはならない。つまり、被読取媒体、光源及び受光素子の位置、機能及び条件を同じに保つことを意味する。しかしながら、対象は異なるために、それぞれの光源から照射される光の波長領域及び受光素子で認知される光の波長領域のいずれかのみ変化させる。
【００５８】
具体的には、第１イメージ取り込み装置10と第２イメージ取り込み装置12共に、被読取媒体に光を照射する光源と、被読取媒体からの反射光または放射光を感知する受光素子とを具えている。イメージ取り込み装置の例としては、接触型のスキャナや、ＣＣＤで構成された受光素子を具えているデジタルカメラを用いた非接触型のスキャナなどがある。
【００５９】
この実施の形態では、実施の形態（説明１）で説明した２種類の非可視性材料と、情報の書き込みに使用する材料の組み合わせによって考えられる３種類のイメージ取り込み装置の構成を、以下に説明する。なお、第１イメージ取り込み装置10と第２イメージ取り込み装置12は、同じ部分分割領域に対しては、光源及び受光素子の位置、機能及び条件を同じ状態に保ったままでイメージ検出を行わなくてはならないので、両装置は構成的に組み合わせた構成で考えなくてはならない。
【００６０】
一つ目のイメージ取り込み装置においては、第１イメージ取り込み装置10は、細線及び情報の構成材料が吸収する第１波長の光を放射する光源と、第１波長の光を感知する受光部とを具える。第２イメージ取り込み装置12は、情報の構成材料が吸収する第２波長を放射する光源と、第２波長の光を感知する受光部とを具えている。
【００６１】
このような構成にするのは、細線の構成材料が非可視性材料であって紫外光又は赤外光を吸収し、さらに、光源からの光のうち、細線の構成材料のみ吸収する波長範囲がない場合である。
【００６２】
この結果、第１イメージ取り込み装置10によって、部分細線イメージ及び部分情報イメージの両方を第１部分イメージとして取り込むことができ、第２イメージ取り込み装置12によって、部分情報イメージを第２部分イメージとして取り込むことができる。
【００６３】
一つ目のイメージ取り込み装置は、第１イメージ取り込み装置10と第２イメージ取り込み装置12との組み合わせ構造であるから、より具体的には、次の二種類の構成が考えられる。いずれも第１イメージ取り込み装置10及び第２イメージ取り込み装置12の機能を両方持つ装置構成となっている。
【００６４】
一種類目の装置では、光源を第１波長及び第２波長共に放射する光源とし、受光部を第１波長を感知する素子部分と第２波長を感知する素子部分を併せ持つＣＣＤからなる受光素子とする。従って、第１波長を感知する素子部分で取り込んだイメージを第１部分イメージとし、第２波長を感知する素子部分で取り込んだイメージを第２部分イメージとすることができる。なお、被読取媒体の同じ部分分割領域に対しては、第１部分イメージと第２部分イメージを同時に取り込むために、第１イメージ取り込み装置10及び第２イメージ取り込み装置12は、上述したところの同じ状態を保っている。
【００６５】
二種類目の装置では、第１波長を放射するものと第２波長を放射するものとの２種類の光源を具え、受光部を第１波長と第２波長との両方を感知する素子部分を持つＣＣＤからなる受光素子とする。従って、第１波長を放射する光源を用いて取り込んだイメージを第１部分イメージとし、第２波長を放射する光源を用いて取り込んだイメージを第２部分イメージとすることができる。ここで、第１部分イメージと第２部分イメージは２度に分けて取り込むために、第１イメージ取り込み装置10及び第２イメージ取り込み装置12は、同じ状態を保たなくてはならない。すなわち、受光素子と被読取媒体の位置関係等を同じにすることが必要である。
【００６６】
二つ目のイメージ取り込み装置においては、第１イメージ取り込み装置10は、細線の構成材料が吸収する第１波長の光を放射する光源と、第１波長の光を感知する受光部とを具え、第２イメージ取り込み装置12は、情報の構成材料が吸収する第２波長を放射する光源と、第２波長の光を感知する受光部とを具えている。
【００６７】
このような構成にするのは、細線の構成材料が非可視性材料であって紫外光又は赤外光を吸収し、さらに、光源からの光のうち、情報の構成材料は吸収しなく細線の構成材料のみ吸収する波長範囲がある場合である。
【００６８】
この結果、第１イメージ取り込み装置10によって、部分細線イメージを第１部分イメージとして取り込むことができ、第２イメージ取り込み装置12によって、部分情報イメージを第２部分イメージとして取り込むことができる。
【００６９】
二つ目のイメージ取り込み装置は、第１イメージ取り込み装置10と第２イメージ取り込み装置12との組み合わせ構造であるから、より具体的には、二種類の構成が考えられるが、一つ目のイメージ取り込み装置と全く同じであるので、説明を省略する。
【００７０】
三つ目のイメージ取り込み装置においては、第１イメージ取り込み装置10は、少なくとも細線の構成材料が吸収する第１波長の光を放射する光源と、細線の構成材料が第１波長の光を吸収したときに放射する第２波長の光を感知する受光部とを具え、第２イメージ取り込み装置12は、情報の構成材料が吸収する第３波長を放射する光源と、第３波長の光を感知する受光部とを具えている。
【００７１】
このような構成にするのは、細線の構成材料が非可視性材料であって、紫外光を吸収し、可視光を放射するものであるときであり、さらに、細線の構成材料の放射波長範囲は情報の構成材料の吸収波長範囲と重ならない場合である。
【００７２】
この結果、第１イメージ取り込み装置10によって、部分細線イメージを第１部分イメージとして取り込むことができ、第２イメージ取り込み装置12によって、部分情報イメージを第２部分イメージとして取り込むことができる。
【００７３】
三つ目のイメージ取り込み装置は、第１イメージ取り込み装置10と第２イメージ取り込み装置12との組み合わせ構造であるから、より具体的には、次の二種類の構成が考えられる。いずれも第１イメージ取り込み装置10及び第２イメージ取り込み装置12の機能を両方持つ装置構成となっている。
【００７４】
一種類目の装置では、光源を第１波長及び第３波長共に放射する光源とし、受光部を第２波長を感知する素子部分と第３波長を感知する素子部分を併せ持つＣＣＤからなる受光素子とする。従って、第２波長を感知する素子部分で取り込んだイメージを第１部分イメージとし、第３波長を感知する素子部分で取り込んだイメージを第２部分イメージとすることができる。ここで、第１部分イメージと第２部分イメージは同時に取り込むために、第１イメージ取り込み装置10及び第２イメージ取り込み装置12は、同じ状態を保っている。
【００７５】
二種類目の装置では、第１波長を放射するものと第３波長を放射するものの２種類の光源を具え、受光部を第２波長と第３波長の両方を感知する素子部分を持つＣＣＤからなる受光素子とする。従って、第１波長を放射する光源を用いて取り込んだイメージを第１部分イメージとし、第３波長を放射する光源を用いて取り込んだイメージを第２部分イメージとすることができる。ここで、第１部分イメージと第２部分イメージは二度に分けて取り込むために、第１イメージ取り込み装置10及び第２イメージ取り込み装置12は、同じ状態を保たなくてはならない。すなわち、受光素子と被読取媒体の位置関係を同じにすることが必要である。
【００７６】
この発明の第１部分イメージ取り込み装置10と第２部分イメージ取り込み装置12は上述した構成例に限定されるものではなく、細線及び情報の構成材料との組み合わせによって、さらなる変形例も考えられる。
【００７７】
次に、この実施の形態のイメージ取り込み装置でイメージを取り込む概念及び取り込んだイメージを、図面を参照して説明する。図３はイメージ取り込み装置で被読取媒体62の部分イメージを取り込む概念を示す図である。この実施の形態では細線58には非可視性材料を用いているために、実際は目に見えないが、図３ではわかりやすくするために実線で示してある。
【００７８】
この実施の形態では、被読取媒体62の細線58として、格子状に書き込まれた細線を使用している（図３（Ａ））。この被読取媒体62に情報76を書き加えると、図３（Ｂ）に示す状態になる。肉眼では、上述したように、情報76しか見えない。図３（Ｂ）に示す被読取媒体62の部分イメージを取り込む様子を図３（Ｃ）に示す。２つの長方形の枠78及び80は、第１及び第２イメージ取り込み装置10及び12で取り込める範囲を示している。この実施の形態では、被読取媒体62を２つの部分に分け、２つの部分イメージを取り込んでいる。ここで、２つの部分イメージの境界部分は重なるように、部分イメージを取り込まなくてはならない。取り込んだ部分イメージ同士を合成するのに、重複した部分のイメージをもとにするからである。従って、被読取媒体62を３つ以上の部分に分け、３つ以上の部分イメージを取り込む場合であっても、部分イメージの境界部分が重なるように取り込む。図３（Ｃ）により取り込まれた２つの部分イメージの様子を図３（Ｄ）に示す。境界部分が重複しているのがわかる。このうち、左の部分イメージ81ａをＡとし、右の部分イメージ81ｂをＢとする。上述の第１及び第２イメージ取り込み装置10及び12のそれぞれによって、Ａ及びＢを取り込む。Ａのうち第１イメージ取り込み装置10で取り込んだ部分イメージ81ａを第１部分イメージＡ１とし、第２イメージ取り込み装置12で取り込んだ部分イメージ81ａを第２部分イメージＡ２とする。同様にして、Ｂのうち第１イメージ取り込み装置10で取り込んだ部分イメージ81ｂを第１部分イメージＢ１とし、第２イメージ取り込み装置12で取り込んだ部分イメージ81ｂを第２部分イメージＢ２とする。
【００７９】
次に、この実施の形態のイメージ取り込み装置で取り込んだ第１又は第２部分イメージＡ１又はＡ２を、図面を参照して説明する。図６は、第１のイメージ合成装置で取り込んだ部分イメージを示す図である。図６（Ａ）は、上述の一つ目の構成のイメージ取り込み装置における第１部分イメージＡ１を示す図であり、細線58及び情報76のイメージを含んでいる。図６（Ｂ）は、上述の二つ目および三つ目の構成における第１部分イメージＡ１を示す図であり、細線58のみのイメージを含んでいる。図６（Ｃ）は、上述のすべての構成における第２部分イメージＡ２を示す図であり、情報76のみのイメージを含んでいる。
【００８０】
尚、この実施の形態のイメージ取り込み装置で取り込んだ第１部分イメージ及び第２部分イメージは、第１及び第２部分イメージの記憶部20及び22に記憶される。
【００８１】
この第１のイメージ合成装置におけるイメージ取り込み装置には第１及び第２イメージ取り込み装置10及び12の２つの装置が必要で、後述する第２のイメージ合成装置と比較すると装置が複雑になるが、第２イメージ取り込み装置12で情報のみの第２全体イメージを得ることができ、従って、ドロップアウト処理装置44が必要なくなる。また、細線58と情報76とが被読取媒体62上で重なっているときにも、第２全体イメージを得ることができるという利点もある。
【００８２】
３．第２のイメージ合成装置におけるイメージ取り込み装置の実施の形態（説明３）
次に、この発明の第２のイメージ合成装置の一部であるイメージ取り込み装置の実施の形態について、図を参照して説明する。
【００８３】
このイメージ取り込み装置は、被読取媒体の複数の部分分割領域から、部分細線イメージ及び部分情報イメージを、第１部分イメージとして、それぞれ取り込む第１イメージ取り込み装置40からなる。
【００８４】
具体的には、細線及び情報の部分が吸収するような波長の光を放射する光源と、その波長の光を感知する受光部とを具えている。第１イメージ取り込み装置の例としては、接触型のスキャナや、ＣＣＤで構成された受光素子を具えているデジタルカメラを用いた非接触型のスキャナなどがある。
【００８５】
第２のイメージ合成装置を使用するのは、細線の構成材料が非可視性材料であって、光源からの光のうち、細線の構成材料のみが吸収する波長範囲がない場合、または、イメージ取り込み装置の構造が簡単な利点を生かす場合などが考えられる。この結果、第１イメージ取り込み装置40によって、部分細線イメージと部分情報イメージの両方を含んだ第１部分イメージを取り込むことができる。
【００８６】
この発明の第１イメージ取り込み装置40は上述のものだけでなく、非可視性材料と情報の書き込みに使用する材料との組み合わせによって、さらなる変形例も考えられる。
【００８７】
この実施の形態のイメージ取り込み装置でイメージを取り込む概念及び取り込んだイメージを、図面を参照して説明する。図５は第１イメージ取り込み装置40で被読取媒体68の部分イメージを取り込む概念を示す図である。この実施の形態では細線72には非可視性材料を用いているために、実際は目に見えないが、図５（Ａ）ではわかりやすくするために実線で示してある。
【００８８】
この実施の形態では、１の実施の形態で説明した細線72が書き込まれた被読取媒体68に情報74が書き込まれた図５（Ａ）に示したものを使用する。このとき、細線72と情報74とは重なっていない。この被読取媒体68を実施の形態（説明２）に示したのと同様の方法で部分イメージを取り込む。この実施の形態では、被読取媒体68を２つの部分に分け、２つの部分イメージを取り込んでいる。ここで、２つの部分イメージの境界部分は重なるように、部分イメージを取り込まなくてはならない。取り込んだ部分イメージ同士を合成するのに、重複した部分のイメージをもとにするからである。従って、被読取媒体68を３つ以上の部分に分け、３つ以上の部分イメージを取り込む場合であっても、部分イメージの境界部分が重なるように取り込む。
【００８９】
次に、この実施の形態のイメージ取り込み装置で取り込んだ第１部分イメージを、図面を参照して説明する。図５（Ｂ）は、イメージ合成装置で取り込んだ部分イメージを示す図である。境界部分が重複しているのがわかる。このうち、左の部分イメージ75ａをＡとし、右の部分イメージ75ｂをＢとする。上述の第１イメージ取り込み装置40によって、Ａ及びＢを取り込む。Ａの第１部分イメージＡ１とし、Ｂの第１部分イメージＢ１とする。Ａ１及びＢ１共に細線72及び情報74の両方のイメージを含んでいるのがわかる。
【００９０】
尚、この実施の形態の第１イメージ取り込み装置40で取り込んだ第１部分イメージは、 第１部分イメージの記憶部48に記憶される。
【００９１】
この第２のイメージ合成装置における第１イメージ取り込み装置40は構成が簡単なので、被読取媒体68において細線72と情報74が重なっていないときは、有効である。
【００９２】
４．第１のイメージ合成装置におけるイメージ合成処理装置の実施の形態（説明４）
次に、この発明の第１のイメージ合成装置の一部であるイメージ合成処理装置の実施の形態について、図を参照して説明する。
【００９３】
このイメージ合成処理装置は、第１部分イメージから、部分細線イメージを利用して、第１全体イメージの合成処理を行う第１イメージ合成処理装置14と、第１イメージ合成処理装置14と実質的に同じ合成処理の手法に従って、第２部分イメージから、第２全体イメージの合成処理を行う第２イメージ合成処理装置16とを具えている。
【００９４】
このうち第１イメージ合成処理装置14は、それぞれの部分細線イメージのうち、横方向又は縦方向の任意の部分細線イメージがＸ軸又はＹ軸と平行になるように、第１部分イメージを回転させる第１回転処理部28と、それぞれの第１部分イメージについて、部分細線イメージの対応する細線の判断を行い、細線間の距離が一致するように、第１部分イメージの倍率を変化させる第１倍率変化処理部32と、対応する部分細線イメージが正しい位置で重ね合うように、部分細線イメージを平行移動させる第１平行移動処理部36とを含む（図１）。
【００９５】
また、第２イメージ合成処理装置16は、それぞれの部分細線イメージのうち、横方向又は縦方向の任意の部分細線イメージがＸ軸又はＹ軸と平行になるように、第１部分イメージを回転させる第２回転処理部30と、それぞれの第１部分イメージについて、部分細線イメージの対応する細線の判断を行い、細線間の距離が一致するように、第１部分イメージの倍率を変化させる第２倍率変化処理部34と、対応する部分細線イメージが正しい位置で重ね合うように、部分細線イメージを平行移動させる第２平行移動処理部38とを含む。
【００９６】
ここで「実質的に同じ合成処理の手法に従って」とは、第１イメージ合成処理装置14の第１回転処理部28、第１倍率変化処理部32及び第１平行移動処理部36のそれぞれにおいて行った処理のうち以下に示す処理の手法と実質的に同じ手法であることを意味する。すなわち、第１回転処理部28においてはトータルの回転角度、第１倍率変化処理部32においては倍率変化の割合、及び第１平行移動処理部36においてはＸ軸方向及びＹ軸方向への平行移動させた座標量である。このため、第１イメージ合成処理装置14で行ったこれらの合成処理手法は、合成処理の記憶部27に記憶させておき、第２イメージ合成処理装置16で合成処理を行う際にこの合成処理手法を合成処理の記憶部27から適宜引き出す。
【００９７】
まず、第１回転処理部28について、図７を参照して説明する。図７（Ａ）は、第１部分イメージの記憶部20から第１部分イメージ88を取り出した状態を示す図である。外枠82は、イメージ合成装置で処理できる範囲であり、取り込んだ部分イメージの範囲と同じである。第１回転処理部28中には、Ｘ軸84と、Ｘ軸84と直交するＹ軸86とがある。まず、Ｙ軸86上にＸ軸84方向に第１部分イメージ88を投影させる。第１部分イメージ88は多数のピクセルから構成されており、Ｙ座標が一定のときＸ座標を変化させたときのピクセルの個数に対応して投影されたピクセル強度Ｉとなる。このＹ座標に対するピクセル強度Ｉを、図７（Ｂ）に示す。このとき、格子状の細線90のうち、縦方向又は横方向の一方の部分イメージが、Ｘ軸84と平行になっていないとき、すなわち、細線90の部分イメージが第１回転処理部28の座標軸84及び86に対して傾いているときは、投影されたピークは幅を持っており、従ってピクセル強度Ｉは小さい。そこで、細線90の部分イメージを、Ｘ軸84と平行にするために、座標軸の原点を中心に任意の方向に一定角度θ（Ｘ軸84となす角度）回転させる。回転後のピクセル強度Ｉが大きくなっていると、回転前と比べて、細線90の部分イメージが、Ｘ軸84とより平行に近づいている。逆に、回転後のピクセル強度Ｉが小さくなっていると、平行から遠ざかっているので、それ以後は反対方向に回転させるようにする。何度か回転を繰り返すうちに、ピークの幅92が小さくなり、同時にピクセル強度Ｉが大きくなる。その結果、ピクセル強度Ｉがある一定値ＩS を越えると、細線90の部分イメージが、Ｘ軸84と平行になった（すなわち、もう一方の細線90の部分イメージがＹ軸86と平行になった）と判断する。このＩS の値の大きさによって、平行になる精度が決まるので、要求される精度に照らし合わせて、適当にＩS の値の大きさを決めればよい。また回転角度θは、あまり大きいと精度良く平行状態に合わせることができず、また小さいと平行状態に達するまでに何度も回転処理を行わなければならなくなる。従って、実際的には、最初はθを大きくして回転させ、平行に近づいてきたと判断したら、徐々にθを小さくして微調整を行えばよい。
【００９８】
しかしながら、この方法では、格子状の細線90のうち、縦方向又は横方向の一方の部分イメージがＸ軸84と平行になるように回転させるものであるので、どちらがＸ軸84と平行になるかによって、部分イメージ同士で90°ずれたイメージになってしまう恐れがある。これを防ぐためには、例えば次のような方法がある。まず第１部分イメージ88を第１イメージ取り込み装置10で取り込むときに、被読取媒体82の向きを余り変化させないようにする。さらに、回転処理で回転させたトータルの回転角度が45°以上にならないように制御すればよい。
【００９９】
この回転処理を、すべての第１部分イメージ88について行う。この実施の形態においては、第１部分イメージ88はＡ１及びＢ１の２つとしてあり、従ってＡ１及びＢ１について回転処理を行う。
【０１００】
ここで、図７（Ａ）のように、第１部分イメージ88が細線のみの場合は回転処理は上述のように行えばよいが、実施の形態（説明２）で述べたように第１部分イメージ88が細線と情報の両方を含む場合には、図７（Ｂ）のピクセル投影強度Ｉには情報のピークも出てしまう。この場合には、縦方向又は横方向の部分細線イメージの一方がＸ軸と平行になっていないときは、細線のピクセル強度に対する情報のピクセル投影強度も無視できない。しかし、平行に近づいてくると、細線のピクセル強度が非常に大きくなるために、情報のピクセル投影強度は無視できる程度になる。従って、この場合も、回転処理を行うことができ、また、説明は省略するが、後述の倍率変化処理及び平行移動処理も行うことができる。
【０１０１】
上述の第１回転処理部28における回転処理をしたデータ、すなわち、それぞれの第１部分イメージ88に対してトータルで何度の回転を行ったか等は、合成処理の記憶部27に記憶する。
【０１０２】
なお、上述の第１回転処理部28における回転処理方法は一例であって、他の任意好適な回転処理方法であってもこの発明に適用できる。
【０１０３】
次に、第１倍率変化処理部32について、図８を参照して説明する。
【０１０４】
第１倍率変化処理部32では、第１回転処理部28で処理を行い縦方向又は横方向の部分細線イメージの一方がＸ軸と平行になった複数の第１部分イメージ88について、倍率変化処理を行う。この実施の形態では第１部分イメージ88はＡ１及びＢ１の２つである。このＡ１及びＢ１の両方共に、上述した第１回転処理部28で部分細線イメージをＹ軸上にＸ軸方向にピクセル投影させている。この様子を図８に示す。図８（Ａ）はＡ１についてピクセル投影したものであり、 図８（Ｂ）はＢ１についてピクセル投影したものである。
【０１０５】
まず、Ａ１及びＢ１について、対応する細線の判断を行う。Ａ１及びＢ１は、図３で示すように第１イメージ取り込み装置10で取り込んだ第１部分イメージであり、横方向に書き込まれた細線はそれぞれ４本であった。第１イメージ取り込み装置10において、それぞれの第１部分イメージの被読取媒体に対する位置関係は、第１部分イメージの記憶部20に記憶されている。従って、例えば被読取媒体の縦方向は複数部分に分割せず、横方向のみ２つに分割したことを記憶している。また、図８から明らかなようにＹ軸上へのピクセル投影のピークが４つずつある。従って、図８（Ａ）及び図８（Ｂ）において上から順にピーク１〜４とすると、同じ番号同士のピークが同じ細線に対応していると判断できる。
【０１０６】
上述の方法では、Ｙ軸上にＸ軸方向にピクセル投影させているが、これに限られず、縦方向の細線に注目してＸ軸上にＹ軸方向にピクセル投影させても良い。
【０１０７】
このときは、図３（Ｃ）からわかるように、Ａ１及びＢ１の投影共に４つずつのピークになる。しかしながら、被読取媒体の縦方向に書き込まれた細線の本数は認知できないので、人為的に細線の本数が７本であると入力するか、あらかじめ、被読取媒体としては縦方向に書き込まれた細線の本数を７本であるものを使用することに決めておいて、例えば第１部分イメージの記憶部20に記憶させておけばよい。このとき、図９に示すように、図９（Ａ）に示したＡ１の右端のピークと図９（Ｂ）に示したＢ１の左端のピークとが対応していると判断すると、横方向のピーク個数は正味７個となり、従って、被読取媒体の細線の本数である７本と一致する。このようにして、部分イメージの数が少ないときは、対応する細線のピークを判断できる。
【０１０８】
しかしながら、部分イメージの数が多くなると、上述した方法では対応する細線のピークを判断するのが難しくなる。このとき、考えられる対策として、例えば次の２つの方法がある。
【０１０９】
一つ目は、第１部分イメージを取り込むとき、被読取媒体に対する取り込む部分の位置を、第１部分イメージの記憶部20に記憶させておく方法である。この方法を用いると、被読取媒体のどの部分のイメージを取り込んだのかがわかるため、対応する細線を判断するとき、おおよその目安はつく。しかしながら、対応する細線の正確な判断は難しい。また、この方法を用いると、デジタルカメラを用いた非接触型スキャナにおいてはデジタルカメラの動きによって取り込む部分の位置判断ができるが、接触型スキャナにおいては、人為的に被読取媒体の位置をセットすることが多いため、この方法を用いることはできない。
【０１１０】
これに対し、二つ目の方法は、被読取媒体上の細線自体の書き込み方に工夫するものである。具体例としては、被読取媒体の実施の形態の変形例で述べた図４に示すものがある。図４（Ａ）に示すものは、細線64の間隔を変化させたものである。従って、この被読取媒体の第１部分イメージを取り込んだときに、第１部分イメージ同士で、細線64間の距離が最も近いものを対応する細線として判断すればよい。また、図４（Ｂ）に示すものは、細線66の太さを変化させたものである。従って、この被読取媒体の第１部分イメージを取り込んだときに、第１部分イメージ同士で、細線66の太さが最も近いものを対応する細線66として判断すればよい。細線66の太さを認識する方法としては、後述するドロップアウト処理の実施の形態におけるピクセル投影のピークの幅を、太さと判断すればよい。
【０１１１】
上述した対応する細線の判断方法により、対応する細線が判断できると、次に、倍率変化処理を行う。
【０１１２】
この実施の形態においては、まず対応する細線間の距離を求める。図８に示すように、１A12と１B12とが対応する細線間の距離である。ここで、ピクセル投影のピークに幅があるために、１A12や１B12等の距離を認識するためには、どこを距離の基準とするかが問題になる。細線の中心線のＹ座標を基準にすべきであるので、ピクセル投影のピークのうち、細線の中心線に当たるＹ座標を認識させる。この認識方法には、例えば２つの方法がある。一つ目は、ピクセル投影のピーク強度が最高に達するＹ座標を、それぞれの細線の中心線と考える方法である。もう一つは、それぞれのピークに含まれるピクセルのＹ座標における分布を考慮するもので、ピクセルの平均Ｙ座標をそれぞれの細線の中心線と考える方法である。このようにして定まった細線間の距離から距離の平均値を求める。つまり、１A12、１A23、及び１A34からＡ１の平均値１Aが求まり、１B12、１B23及び１B34からＢ１の平均値１Bが求まる。
【０１１３】
次に、対応する細線間の距離は等しくあるべきなので、距離が等しくなるようにＡ１又はＢ１を、拡大又は縮小する。つまり、Ａ１の平均値１A とＢ１の平均値１B との比１A／１BだけＢ１を拡大又は縮小すれば、Ａ１及びＢ１の距離の平均値が等しくなる。
【０１１４】
上述した距離の平均値を求める方法以外に、二つ目の方法として、対応する一つの距離の比、例えば１A12／１B12だけＢ１を拡大又は縮小しても良い。しかしながら、平均値を用いる方法の方が、後述する平行移動処理の際に、部分細線イメージ全体にわたって一致しやすくなるので好ましい。
【０１１５】
この実施の形態では、Ｙ座標へのピクセル投影によって部分細線イメージ間の距離を算出したが、Ｘ座標へのピクセル投影によって行っても良いし、より好ましくは、Ｘ座標及びＹ座標の両方において、平均値を算出して倍率を求めると良い。
【０１１６】
また、この実施の形態では第１部分イメージの数が二つだったので、距離の比で倍率変化処理を行えば良かったが、第１部分イメージの数が三つ以上の時は、単純には行えない。しかしながら、例えば第１部分イメージの数が三つ（Ａ１，Ｂ１，Ｃ１)の時には、それぞれの距離の平均値を１A、１B及び１c（１A＜１B＜１C）とすると、Ａ１を１B／１A倍にし、Ｃ１を１B／１C倍にすると、すべての部分イメージについて距離の平均値が等しくなる。四つ以上のときも同様の処理を行えばよい。
【０１１７】
上述の第１倍率変化処理部32における倍率変化処理をしたデータ、すなわち、それぞれの第１部分イメージに対して何倍の拡大又は縮小を行ったか等は、合成処理の記憶部27に記憶する。
【０１１８】
なお、上述の第１倍率変化処理部32における倍率変化処理方法は一例であって、他の任意好適な倍率変化処理方法であってもこの発明に適用できる。
【０１１９】
次に、第１平行移動処理部36について、図９を参照して説明する。
【０１２０】
第１平行移動処理部36では、上述の第１倍率変化処理部32で処理を行って対応する部分細線イメージの間隔が等しくなった複数の第１部分イメージについて、平行移動処理を行うことにより、第１全体イメージに合成する。
【０１２１】
まず、図９（Ａ）に示すように、第１部分イメージＡ１の部分細線イメージについて、Ｘ軸上及びＹ軸上へのピクセル投影を行う（第１回転処理部28又は第１倍率変化処理部32ですでに行っている場合は、利用すればよい）。その後、倍率変化処理部の実施の形態ですでに説明した方法で各々の部分細線イメージの中心座標を求める。同様にして、図９（Ｂ）に示すように、Ｂ１についての部分細線イメージに関してＸ軸上及びＹ軸上へのピクセル投影を行い、その後、各々の部分細線イメージの中心座標を求める。
【０１２２】
次に、Ｂ１（Ａ１でも良い）をＸ軸方向に平行移動させる。このとき、第１倍率変化処理部32の実施の形態で述べたように、Ａ１とＢ１とで対応する細線のピクセル投影のピークはわかっている。この場合、Ａ１の右端とＢ１の左端のピークが対応しているので、Ｂ１のＸ座標がＡ１のＸS4になるようにＢ１を平行移動させる。
【０１２３】
次に、Ｂ１（Ａ１でも良い）をＹ軸方向に平行移動させる。この場合、Ｙ軸方向に投影されたピクセル投影のピークは上から順に対応しているので、任意の対応するピークのＹ座標を一致させるようにする。例えば、Ｙ座標がもっとも大きいピークを基準にすると、Ｂ１のＹ座標がＹS4になるようにＢ１を平行移動させる。
【０１２４】
次に、Ａ１とＢ１を一つの画面上（一つのデータ）にまとめることにより、合成された第１全体イメージとなる。
【０１２５】
この実施の形態においては、Ａ１とＢ１とを別の画面上（別のデータ）で平行移動させてからまとめたが、Ａ１とＢ１とをまとめた後に平行移動させて、第１全体イメージを作製しても良い。
【０１２６】
また、Ｘ軸方向に平行移動させた後でＹ軸方向に平行移動させたが、Ｙ軸方向に平行移動させた後でＸ軸方向に平行移動させても良い。
【０１２７】
また、Ａ１とＢ１を一つの画面上（一つのデータ）にまとめると、画面上に入り切らなくなることがあるので、例えば、あらかじめ平行移動させる前又はさせた後であってまとめる前に、Ａ１及びＢ１を同じ倍率で縮小すれば良い。
【０１２８】
上述の第１平行移動処理部36における平行移動処理をしたデータ、すなわち、それぞれの第１部分イメージに対してＸ軸及びＹ軸方向にどれだけ平行移動させたか等は、合成処理の記憶部27に記憶する。
【０１２９】
また、この合成された第１全体イメージは、イメージ一致判断部18があるときはここに送られ、また無いときは第１全体イメージの記憶部24に記憶される。
【０１３０】
なお、上述の第１平行移動処理部36における平行移動処理方法は一例であって、他の任意好適な平行移動処理方法であっても本発明に適用できる。
【０１３１】
次に、第２イメージ合成処理装置16について説明する。
【０１３２】
第２イメージ取り込み装置12で取り込んだ第２部分イメージをＡ２及びＢ２とする。Ａ２及びＢ２のそれぞれに対して、上述した第１部分イメージに対して行った合成処理、すなわち、回転処理、倍率変化処理及び平行移動処理と実質的に同じ手法を行うと、Ａ２及びＢ２が合成された第２全体イメージになる。この場合の実質的に同じ合成処理の手法とは、ピクセル投影などは含まず、座標軸に対して行った回転、拡大又は縮小、及び平行移動のことを指す。この場合、上述した第１部分イメージに対して行った回転処理、倍率変化処理及び平行移動処理のデータを合成処理の記憶部27から取り出すことによって、第２部分イメージにも同じ処理を行うことができる。
【０１３３】
従って、合成された第２全体イメージは、第１全体イメージと同程度に一致した合成イメージとなる。
【０１３４】
また、この第２全体イメージは、第２全体イメージの記憶部26に記憶される。
【０１３５】
５．第２のイメージ合成装置におけるイメージ合成処理装置の実施の形態（説明５）
次に、この発明の第２のイメージ合成装置の一部である第１イメージ合成処理装置42の実施の形態について説明する。
【０１３６】
この第１イメージ合成処理装置42は、第１イメージ取り込み装置40で取り込んだ第１部分イメージから、部分細線イメージを利用して、第１全体イメージの合成処理を行うものである。
【０１３７】
この第１イメージ合成処理装置42は、それぞれの部分細線イメージのうち、横方向又は縦方向の任意の部分細線イメージがＸ軸又はＹ軸と平行になるように、第１部分イメージを回転させる第１回転処理部52と、それぞれの第１部分イメージについて、部分細線イメージの対応する細線の判断を行い、細線間の距離が一致するように、第１部分イメージの倍率を変化させる第１倍率変化処理部54と、対応する部分細線イメージが正しい位置で重ね合うように、部分細線イメージを平行移動させる第１平行移動処理部56とを含む（図２）。
【０１３８】
第２のイメージ合成装置は実施の形態（説明１）で説明したように、部分細線イメージと部分情報イメージとが重ならない構造になっている被読取媒体を用いる場合に使用できる。従って、部分細線イメージをＸ軸上又はＹ軸上にピクセル投影したときのピークに対して、部分情報イメージのピクセル投影が影響を及ぼすことは少ない。従って、第１部分イメージの記憶部48から第１部分イメージを取り出した後は、実施の形態（説明４）で述べた方法と全く同様に、第１部分イメージのうちの部分細線イメージを基準にして、第１回転処理部52、第１倍率変化処理部54及び第１平行移動処理部56において合成処理される。なお、この実施の形態においては、第１部分イメージしかないので、第２部分イメージ合成装置における処理は行わない。これらの処理を行うことにより、第１全体イメージに合成される。
【０１３９】
この合成された第１全体イメージは、イメージ一致判断部46があるときはここに送られ、無いときはドロップアウト処理装置44に送られる。
【０１４０】
６．イメージ一致判断部の実施の形態（説明６）
次に、この発明の第１及び第２のイメージ合成装置の一部であるイメージ一致判断部18及び46の実施の形態について、図を参照して説明する。
【０１４１】
このイメージ一致判断部18及び46は、第１及び第２のイメージ合成装置で合成した第１全体イメージが、一致していることを判断するものである。
【０１４２】
この判断には、第１平行移動処理部36及び56で合成された第１全体イメージではなく、合成する前の第１部分イメージであるＡ１及びＢ１をＹ軸上にピクセル投影したピークを用いる。このピークは平行移動処理において、利用したものである。上述の平行移動処理においては、Ｂ１をＹ軸方向に平行移動させて、Ｙ座標がＹS4の位置で一本の対応する部分細線イメージを重ね合わせた。従って、残りの３本の対応する部分細線イメージについては、完全に重なっていない可能性がある。逆に考えると、残りの３本も完全に重なっていれば、図９（Ｃ）に示した第１全体イメージは部分イメージのつなぎ目の部分でも重なっており、従って、完全に一致していると判断しても良い。そこで、残りの３本のずれの大きさを基準にして、一致しているかどうかの判断を行う。この対応している細線のずれの大きさは、この実施の形態においては、（ＹＡｉ−ＹＢｉ）（ｉ＝１，２，３）と表されるが、例えば、この大きさが±α以下に収まるものが一定割合以上であれば、一致していると判断すればよい。具体的数値としては、例えば、このαを0.2mmとし、一定割合を８０％とすれば良い。
【０１４３】
この実施の形態では、二つの部分イメージを合成しているので、部分イメージのつなぎ目では、判断基準になる細線は３本しかなかった。しかし、より多くの部分イメージを合成する場合にはつなぎ目が多くなり、従って、判断基準になる細線の本数も多くなる。しかしながら、この場合もこの実施の形態と同様にして、対応する細線のすべてについてずれの大きさを計算し、上述の判断基準によって一致しているかどうかを判断すればよい。
【０１４４】
また、この実施の形態では、部分イメージＡ１及びＢ１はＸ軸と平行方向の細線を分断したものであるので、Ｙ軸上にピクセル投影したピークを用いてイメージ一致判断を行った。しかし、部分イメージがＹ軸と平行方向の細線を分断したものであるときは、Ｘ軸上にピクセル投影したピークを用いて、上述と同様の方法によってイメージ一致判断を行えばよい。
【０１４５】
このイメージ一致判断部18及び46によって、精度の良い第１全体イメージを得ることができる。
【０１４６】
なお、上述のイメージ一致判断方法は一例であって、他の任意好適なイメージ一致判断方法であっても本発明に適用できる。
【０１４７】
７．第２のイメージ合成装置におけるドロップアウト処理装置の実施の形態（説明７）
次に、この発明の第２のイメージ合成装置の一部であるドロップアウト処理装置44の実施の形態について、図を参照して説明する。
【０１４８】
ドロップアウト処理装置44は、第１全体イメージから、部分細線イメージのみをドロップアウトさせて、残存する部分情報イメージを第２全体イメージとする機能を有している。
【０１４９】
実施の形態（説明５）で説明したように、第２のイメージ合成装置の第１イメージ合成処理装置42で合成された第１全体イメージは、第１部分イメージを合成したものであり、従って、細線のイメージ及び情報のイメージの両方を含んでいる。しかしながら、部分細線イメージ及び部分情報イメージは重なっていない構造であったので、Ｘ軸上又はＹ軸上にピクセル投影したときには、図１０（Ａ）に示すように、細線72及び情報74のイメージのピクセル投影のピークは重ならない。従って、細線72のイメージに対応するピクセル投影のピークを消去できる。
【０１５０】
具体的にドロップアウト手法を説明すると、まず図１０（Ａ）の中心座標がＸ1 であるピークを消去することを考える。そのために、このピークが持つＸ座標範囲をまず認知しなければならない。つまり、ピクセル投影の強度が０でないＸ座標範囲（範囲中にＸ1 を含む）を、ピークがもつＸ座標範囲と判断する。その後、このＸ座標範囲にあるピクセルをすべて消去する。これらの処理をすべての細線72のイメージに対応するピクセル投影のピークについて行えば、細線72のイメージのみをドロップアウトすることができる。その結果、図１０（Ｂ）に示すような情報74のみの第２全体イメージを得ることができる。
【０１５１】
完成した第２全体イメージは、第２全体イメージの記憶部50に記憶される。
【０１５２】
なお、上述のドロップアウト処理方法は一例であって、他の任意好適なドロップアウト処理方法であってもこの発明に適用できる。
【０１５３】
８．第１のイメージ合成装置を用いたイメージ合成方法の実施の形態（説明８）
上述においては、この発明の第１及び第２のイメージ合成装置の構成について説明したが、ここでは、第１のイメージ合成装置を用いて、イメージ合成する方法の実施の形態を、装置上でのイメージ処理の流れを中心にして説明する。図１１は、第１のイメージ合成装置を用いたイメージ合成方法を示すフローチャートである。
【０１５４】
第１及び第２イメージ取り込み装置10及び12により、それぞれ被読取媒体の第１及び第２部分イメージを取り込み、それぞれ第１及び第２部分イメージの記憶部20及び22に記憶する過程は、実施の形態（説明２）及び実施の形態（説明３）において説明したので、省略する。尚、この実施の形態においても、第１イメージ取り込み装置10により取り込む第１部分イメージはＡ１及びＢ１の二つとする。従って、第２イメージ取り込み装置12により取り込む第２部分イメージも二つとなり、これらをＡ２及びＢ２とする。
【０１５５】
まず、第１部分イメージの記憶部20から第１部分イメージであるＡ１及びＢ１を取り出す（Ｓ１）。このＡ１及びＢ１に対して、それぞれ第１回転処理部28で回転処理を行う（Ｓ２：詳細は実施の形態（説明４）で説明したとおりである）。図示しないが、その後Ｓ２処理手法については、合成処理の記憶部27に記憶させておく。このとき、このフローチャートの順序通り、Ａ１及びＢ１をいったんその後の作業を行うマイクロコンピューター上に取り出しておいてから（Ａ１及びＢ１に対してＳ１処理）、Ａ１及びＢ１に対して回転処理（Ｓ２処理）を行っても良いが、これに限られず、Ａ１のみを取り出して（Ａ１に対してＳ１処理）回転処理を行い（Ａ１に対してＳ２処理）、その後Ｂ１を取り出して（Ｂ１に対してＳ１処理）回転処理を行って（Ｂ１に対してＳ２処理）も良い。次に、Ａ１及びＢ１に対する倍率変化処理を第１倍率変化処理部32で行う（Ｓ３：詳細は実施の形態（説明４）で説明したとおりである）。図示しないが、その後Ｓ３処理手法については、合成処理の記憶部27に記憶させておく。この倍率変化処理は上述したように、Ａ１及びＢ１の部分イメージの大きさを比較して行うものなので、両方ともＳ２の回転処理が終了していなければならない。次に、平行移動処理を第１平行移動処理部36で行う（Ｓ４：詳細は実施の形態（説明４）で説明したとおりである）。図示しないが、その後Ｓ４処理手法については、合成処理の記憶部27に記憶させておく。その結果、Ａ１及びＢ１の合成である第１全体イメージが完成する。
【０１５６】
次に、この実施の形態では、イメージ一致判断部18で第１全体イメージが一致しているかどうかを判断する（Ｓ５：詳細は実施の形態（説明６）で説明したとおりである）。そして一致していると判断した場合は、Ｓ６の処理に進むが、一致していないと判断した場合には、再びＳ２の処理に戻る。すなわち、それぞれＡ１及びＢ１に対する回転処理を再び行う。このとき、Ａ１及びＢ１はＳ２、Ｓ３及びＳ４で処理した後のものではなく、最初にＳ１で第１部分イメージの記憶部20から取り出してきたＡ１及びＢ１に対してＳ２処理を行う。しかしながら、Ａ１及びＢ１に対してＳ２、Ｓ３及びＳ４において一回目と全く同じ方法で処理を行うと、全く同じ結果になって、Ｓ５のイメージ一致判断部18で再び第１全体イメージが一致していないと判断される可能性がある。従って、実施の形態（説明４）で述べたこれらの処理の条件を変化させて、より精密に処理を行わせる必要がある。そこでＳ２においては、例えば、回転角度をより小さくし、及び、Ｘ軸又はＹ軸と平行になったと判断する基準を厳しくすればよい。又、Ｓ３においては、例えば、Ｘ軸及びＹ軸に対するピクセル投影をすべて考慮して細線間の距離の平均値を算出する方法を用いればよい。又、Ｓ４においては、例えば、一回目において重ねる処理の対象とした細線を別の細線に変えてみると良い。本実施の形態では、Ｓ５で一致していないと判断したときはＳ２の処理に戻る流れとしたが、他の流れも考えられる。例えば、Ｓ４に戻り、重ねる処理の対象とした細線を別の細線に変えてみても良いし、あるいは、第１及び第２イメージ取り込み装置10及び12でＡ１及びＢ１を取り込み直しても良い。
【０１５７】
さて、Ｓ５で一致していると判断した場合は、第２部分イメージの記憶部22から第２部分イメージであるＡ２及びＢ２を取り出す（Ｓ６）。取り出されたＡ２及びＢ２に対してＳ２（合成処理の記憶部27からＳ２処理手法を取り出す）と実質的に同じ合成処理を行う（Ｓ７）。ここで実質的に同じ合成処理とは、実施の形態（説明４）で説明したとおりである。Ｓ６及びＳ７に関しては、上述したＳ１及びＳ２と同様に、Ａ２及びＢ２に関する順序を変化させても良い。次に、Ａ２及びＢ２に対してＳ３（合成処理の記憶部27からＳ３処理手法を取り出す）と同じ処理を行う（Ｓ８）。次に、Ｓ４（合成処理の記憶部27からＳ４処理手法を取り出す）と同じ処理を行う（Ｓ９）ことにより、第２全体イメージが完成する。第２全体イメージは情報のみからなるイメージなので、この発明の装置ではイメージが一致しているかどうか判断することはできない。しかしながら、イメージが一致していると判断された第１全体イメージと同じ合成処理を行っているので、第２全体イメージも理論的には一致しているはずである。そして最後に、第２全体イメージを第２全体イメージ記憶部26に記憶させて（Ｓ１０）、この実施の形態のイメージ合成を終了する。
【０１５８】
なお、上述のイメージ合成方法は一例であって、他の任意好適なイメージ合成方法であっても本発明に適用できる。例えば、この後さらに、画面上に第２全体イメージが出力されて、人間の目によりイメージが一致しているかどうか判断する工程を設けても良いし、又は、プリンター等によりイメージデータを出力させる構造としても良い。また、イメージ合成装置は、さらに合成されたイメージの文字認識を行う文字認識処理部を具えていてもよく、このときには、第２全体イメージの文字認識を行う工程が加わる。
【０１５９】
９．第２のイメージ合成装置を用いたイメージ合成方法の実施の形態（説明９）
次に、第２のイメージ合成装置を用いて、イメージ合成する方法の実施の形態を、装置上でのイメージ処理の流れを中心にして説明する。図１２は、第２のイメージ合成装置を用いたイメージ合成方法を示すフローチャートである。
【０１６０】
Ｓ１１からＳ１５までの工程は上述したＳ１からＳ５までの工程と全く同じなので、説明を省略する。Ｓ１５により第１全体イメージが一致していると判断された場合には、ドロップアウト処理部44で第１全体イメージのドロップアウト処理を行う（Ｓ１６：詳細は実施の形態（説明７）で説明したとおりである）ことにより、情報のイメージのみからなる第２全体イメージが完成する。第２全体イメージを第２全体イメージの記憶部50に記憶させて（Ｓ１７）、この実施の形態のイメージ合成処理を終了する。
【０１６１】
なお、上述のイメージ合成方法は一例であって、他の任意好適なイメージ合成方法であっても本発明に適用できる。例えば、この後さらに、第１のイメージ合成装置の時と同様に、画面上に第２全体イメージが出力されて、人間の目によりイメージが一致しているかどうか判断する工程を設けても良いし、又は、プリンター等によりイメージデータを出力させる構造としても良い。また、イメージ合成装置は、さらに合成されたイメージの文字認識を行う文字認識処理部を具えていてもよく、このときには、第２全体イメージの文字認識を行う工程が加わる。
【０１６２】
【発明の効果】
以上詳細に説明したように、この発明のイメージ合成装置によれば、少なくとも部分細線イメージを取り込む第１イメージ取り込み装置と、第１部分イメージの細線を用いて第１全体イメージに合成処理を行うイメージ合成処理装置を具えているので、一度ではイメージを取り込めない大きな被読取媒体に対しても、あたかも一枚の被読取媒体のイメージを一度で取り込んだのと同等の全体イメージを、ソフト上で自動的に形成することができる。
【０１６３】
また、第１のイメージ合成装置は第２イメージ取り込み装置及び第２イメージ合成処理装置を、第２のイメージ合成装置はドロップアウト処理装置を具えているので、形成された第２全体イメージは細線イメージは消えて、情報のみのイメージになる。
【０１６４】
また、得られた第２全体イメージはＯＣＲ装置により高い認識率を持って文字認識される。
【０１６５】
さらに、イメージ一致判断部を具えると、より精度の高い第２全体イメージとなる。
【０１６６】
また、非可視性材料により細線を書き込まれた被読取媒体を用いることにより、人間の目には細線は感知されなく、美観を損ねない。
【図面の簡単な説明】
【図１】第１のイメージ合成装置の実施の形態を示すブロック図
【図２】第２のイメージ合成装置の実施の形態を示すブロック図
【図３】部分イメージを取り込む概念を示す図（１）
【図４】細線の描き方の変形例を示す図
【図５】部分イメージを取り込む概念を示す図（２）
【図６】第１のイメージ合成装置における部分イメージを示す図
【図７】回転処理を示す図
【図８】倍率変化処理を示す図
【図９】平行移動処理を示す図
【図１０】ドロップアウト処理を示す図
【図１１】第１のイメージ合成方法を示すフローチャート
【図１２】第２のイメージ合成方法を示すフローチャート
【符号の説明】
１４：第１イメージ合成処理装置
１６：第２イメージ合成処理装置
４２：第１イメージ合成処理装置
５８：細線
６０：被読取媒体の輪郭
６２：被読取媒体
６４：細線（細線間の幅を変えたもの）
６６：細線（細線の太さを変えたもの）
６８：被読取媒体
７０：情報を記録する位置
７２：細線
７４：情報
７５a：部分イメージA
７５b：部分イメージB
７６：情報
７８，８０：第１及び第２イメージ取り込み装置で取り込める範囲
８１a：部分イメージA  ８１b：部分イメージB
８２：イメージ合成処理装置で処理できる範囲
８４：X軸
８６：Y軸
８８：第１部分イメージ
９０：細線
９２：ピクセル投影のピーク幅
【図１】
0004306075.tif 000002
【図２】
0004306075.tif 000003
【図３】
0004306075.tif 000004
【図４】
0004306075.tif 000005
【図５】
0004306075.tif 000006
【図６】
0004306075.tif 000007
【図７】
0004306075.tif 000008
【図８】
0004306075.tif 000009
【図９】
0004306075.tif 000010
【図１０】
0004306075.tif 000011
【図１１】
0004306075.tif 000012
【図１２】
0004306075.tif 000013